(57)【要約】【課題】  主表示部が露出するように折り畳み可能な携帯電話機は知られているが、折畳んだ状態での通話機能について開示されているものはない。また、また、主表示部を水平方向に回転させて折畳む携帯電話機では、２つのスピーカにより折畳み時に通話可能とするものもあるが、持ち運び時にも表示部が露出したままであるため、表示部を破損するおそれがあり、ユーザに不安感を抱かせる問題があった。【解決手段】  第１筐体と第２筐体がヒンジ部により回転及び折り畳み可能に接続した携帯電話機の、折り畳んだ状態で常に露出するヒンジ部表面に第２マイクを設ける。これにより主表示部が露出するように折り畳んだ状態での通話が可能となり利便性が向上する。また持ち運び時には主表示部が内側になるように折り畳めるので、主表示部を破損するおそれも少なく、ユーザの不安感も解消できる。【選択図】    図１
2005244752.tif 000002
【特許請求の範囲】
【請求項１】
第１筐体と、
該第１筐体に対して回動自在に連結されるヒンジ部および該ヒンジ部に対して回転自在となる表示部を有する第２筐体と、
前記第１筐体の表面に設けられた第１音声入力手段と、
前記第１筐体および第２筐体を閉じた状態で露出する前記ヒンジ部表面に設けられた第２音声入力手段と、
前記第２筐体表面の前記ヒンジ部に対向する端部に設けられた音声出力手段とを具備し、
前記表示部が露出するように前記第１および第２筐体を閉じた状態で、前記第２音声入力手段からの音声入力を可能にすることを特徴とする携帯端末。
【請求項２】
前記表示部が露出するように前記第１および第２筐体を閉じた状態で、前記音声出力手段と前記第２音声入力手段とが同一面側に配置されることを特徴とする請求項１に記載の携帯端末。
【請求項３】
前記表示部が露出するように前記第１および第２筐体を閉じた状態で、前記第１音声入力手段と前記第２音声入力手段は、前記表示部の両端となる位置に配置されることを特徴とする請求項１に記載の携帯端末。
【請求項４】
第１筐体と、
該第１筐体に対して回動自在に連結されるヒンジ部および該ヒンジ部に対して回転自在となる表示部を有する第２筐体と、
前記第１筐体表面の前記ヒンジ部に対向する端部に設けられた第１音声入力手段と、
前記第１筐体および第２筐体を閉じた状態で露出する前記ヒンジ部の表面に設けられた第２音声入力手段と、
前記第２筐体表面の前記ヒンジ部に対向する端部に設けられた音声出力手段と、
前記第１筐体と前記第２筐体の回転および／または折畳み状態を検知する状態検知手段と、
該状態検知手段により検知した前記第１筐体および第２筐体の状態に応じて、前記第１音声入力手段および／または前記第２音声入力手段のオンオフを切り換える音声入力制御手段とを具備することを特徴とする携帯端末。
【請求項５】
無線通信を行う無線通信手段を具備し、前記表示部が露出するように前記第１および第２筐体を閉じた状態で無線通信を行う場合には、前記音声入力制御手段は前記第２音声入力手段をオン状態とし、前記第１音声入力手段をオフ状態とすることを特徴とする請求項４に記載の携帯端末。
【請求項６】
無線通信を行う無線通信手段と、前記表示部に表示する画像および／または文字の正像と逆像を切り換える表示制御手段とを具備し、前記表示部が露出するように閉じた状態で通話着信する場合には前記表示制御手段は前記表示部に通話着信通知を正像で表示することを特徴とする請求項４に記載の携帯端末。
【請求項７】
動画を撮影する動画撮影手段を具備し、前記表示部が露出するように前記第１および第２筐体を閉じた状態で動画撮影する場合には、前記音声入力制御手段は前記第１音声入力手段および前記第２音声入力手段をオン状態とすることを特徴とする請求項４に記載の携帯端末。
【請求項８】
前記第１および第２音声入力手段によるステレオ入力またはモノラル入力の切り換えを可能にすることを特徴とする請求項７に記載の携帯端末。
【請求項９】
動画を撮影する動画撮影手段を具備し、前記第１および第２筐体を開いた状態で動画撮影する場合には、前記音声入力制御手段は前記第２音声入力手段をオン状態とし、前記第１音声入力手段のオンオフを切り換え可能にすることを特徴とする請求項４に記載の携帯端末。
【発明の詳細な説明】
【技術分野】
【０００１】
この発明は、一般的には、携帯端末に関し、より特定的には、２つの筐体が回動可能に取り付けられて構成される携帯端末に関する。
【背景技術】
【０００２】
従来、携帯電話機に代表されるような上部筐体と下部筐体を折畳み可能にした携帯端末が広く普及している。
【０００３】
さらには、図１３のごとく、筐体を回転および折畳み可能とし、閉じた状態で、主表示部を視認できるものが知られている。
【０００４】
図１３（Ａ）は上下筐体を開いた状態の携帯電話機２００外観図を示し、図１３（Ｂ）、図１３（Ｃ）は上下筐体を閉じた状態の外観図を示す。
【０００５】
一般的に、図の如く上部筐体２０５に主表示部２０６等が設けられ、下部筐体２０１には、キー操作部２０２などが設けられている。そして、例えば上部筐体２０５と下部筐体２０１はヒンジ部２０７により回転自在となっており、上部筐体２０５を回転させることにより、図１３（Ｂ）の如く主表示部２０６を外側に露出した状態で折畳むことができる。また図１３（Ｃ）の如く主表示部２０６が内側になるように折畳むことができ、その場合上部筐体２０５の他の表面に設けた副表示部２１５を視認することができる。（例えば特許文献１参照。）。
【特許文献１】特開２００２−１３５３８０号公報
【発明の開示】
【発明が解決しようとする課題】
【０００６】
携帯電話機の多機能化に伴い、主表示部を露出したまま折畳みできる携帯電話機が普及しており、その状態で各種のアプリケーションを機能させることが可能となっている。
【０００７】
例えば、上述の図１３の携帯電話機２００では、機能に応じて主表示部２０６を外側にして折畳みでき、持ち運び時など携帯電話機を使用していないときには、主表示部２０６が露出しないように折畳むことができる（図１３（Ｃ））。
【０００８】
しかし、図１３の携帯電話機２００では、主表示部２０６を外側に露出するように折畳んだ状態では、筐体を回転させる等の操作を行い、筐体を開いた状態でないと通話を行うことができない。
【０００９】
そこで折畳んだ状態で通話着信を可能にする要望も高くなっている。例えば主表示部が設けられた筐体を水平方向に回転またはスライドすることのみで折畳みを可能とした携帯電話機も知られており、これらにおいては筐体を開いた状態と折畳んだ状態の何れでも通話可能となっているものもある。しかし、これら携帯電話機では、常に主表示部が露出しているため、持ち運び時など携帯電話機を使用していないときに主表示部を破損するおそれがあり、ユーザに不安感を抱かせる問題があった。
【課題を解決するための手段】
【００１０】
本発明は上述した諸々の事情に鑑み成されたものであり、第１に、第１筐体と、該第１筐体に対して回動自在に連結されるヒンジ部および該ヒンジ部に対して回転自在となる表示部を有する第２筐体と、前記第１筐体の表面に設けられた第１音声入力手段と、前記第１筐体および第２筐体を閉じた状態で露出する前記ヒンジ部表面に設けられた第２音声入力手段と、前記第２筐体表面の前記ヒンジ部に対向する端部に設けられた音声出力手段とを具備し、前記表示部が露出するように前記第１および第２筐体を閉じた状態で、前記第２音声入力手段からの音声入力を可能にすることにより解決するものである。
【００１１】
また、前記表示部が露出するように前記第１および第２筐体を閉じた状態で、前記音声出力手段と前記第２音声入力手段とが同一面側に配置されることを特徴とするものである。
【００１２】
また、前記表示部が露出するように前記第１および第２筐体を閉じた状態で、前記第１音声入力手段と前記第２音声入力手段は、前記表示部の両端となる位置に配置されることを特徴とするものである。
【００１３】
第２に、第１筐体と、該第１筐体に対して回動自在に連結されるヒンジ部および該ヒンジ部に対して回転自在となる表示部を有する第２筐体と、前記第１筐体表面の前記ヒンジ部に対向する端部に設けられた第１音声入力手段と、前記第１筐体および第２筐体を閉じた状態で露出する前記ヒンジ部の表面に設けられた第２音声入力手段と、前記第２筐体表面の前記ヒンジ部に対向する端部に設けられた音声出力手段と、前記第１筐体と前記第２筐体の回転および／または折畳み状態を検知する状態検知手段と、該状態検知手段により検知した前記第１筐体および第２筐体の状態に応じて、前記第１音声入力手段および／または前記第２音声入力手段のオンオフを切り換える音声入力制御手段とを具備することにより解決するものである。
【００１４】
また、無線通信を行う無線通信手段を具備し、前記表示部が露出するように前記第１および第２筐体を閉じた状態で無線通信を行う場合には、前記音声入力制御手段は前記第２音声入力手段をオン状態とし、前記第１音声入力手段をオフ状態とすることを特徴とするものである。
【００１５】
また、無線通信を行う無線通信手段と、前記表示部に表示する画像および／または文字の正像と逆像を切り換える表示制御手段とを具備し、前記表示部が露出するように閉じた状態で通話着信する場合には前記表示制御手段は前記表示部に通話着信通知を正像で表示することを特徴とするものである。
【００１６】
また、動画を撮影する動画撮影手段を具備し、前記表示部が露出するように前記第１および第２筐体を閉じた状態で動画撮影する場合には、前記音声入力制御手段は前記第１音声入力手段および前記第２音声入力手段をオン状態とすることを特徴とするものである。
【００１７】
また、前記第１および第２音声入力手段によるステレオ入力またはモノラル入力の切り換えを可能にすることを特徴とするものである。
【００１８】
また、動画を撮影する動画撮影手段を具備し、前記第１および第２筐体を開いた状態で動画撮影する場合には、前記音声入力制御手段は前記第２音声入力手段をオン状態とし、前記第１音声入力手段のオンオフを切り換え可能にすることを特徴とするものである。
【発明の効果】
【００１９】
本発明によれば以下の効果が得られる。
【００２０】
第１に、第１筐体と第２筐体の回転および折り畳みが可能な携帯端末において、第１筐体表面に第１音声入力手段を設け、ヒンジ部表面に第２音声入力手段を設けることにより、筐体を開いた状態または表示部が露出するように折畳んだ状態のいずれでも通話を可能にする。
【００２１】
第２に、状態検知手段により、第１および第２筐体の状態に応じて第１及び／または第２音声入力手段のオンオフを切り換えられるので、携帯電話機の各種機能に応じて、２つの音声入力手段を使い分けることができる。
【００２２】
第３に、第１筐体および第２筐体の状態に応じて表示部の画像および／または文字の正像と逆像を切り換え可能とする。、例えば表示部が露出するように閉じた状態で通話着信する場合には表示部に通話着信通知を正像で表示するように切り換える。これによりユーザに表示部が正常視認可能なように携帯電話機を持ち換えることを促し、通話時には第２音声入力手段が正常な向きとなるように携帯電話機を保持させることができる。
【００２３】
第４に、表示部が露出するように折畳んだ状態で動画を撮影する時には、第１音声入力手段および第２音声入力手段をオンすることにより、折畳んだ筐体の端部に位置する２つ音声入力手段を使用できる。これにより動画とともに音声を録音する場合、ステレオ入力が可能となる。またユーザの操作によりモノラル入力にも切り換えができる。
【００２４】
第５に、筐体を開いた状態で動画を撮影する場合には、第１および第２音声入力種ｄなの使用、または第２音声入力手段のみの使用を切り換えることができる。第１音声入力手段と第２音声入力手段は開いた状態では筐体の異なる面に配置されるので、使用する音声入力手段を切り換えることにより被写体側と撮影者側両方の音声入力手段による録音と、被写体側又は撮影者側のいずれか一方の音声入力手段による録音とを切り換えることができる。
【発明を実施するための最良の形態】
【００２５】
この発明の実施の形態について携帯電話機を例に、図面を参照して説明する。
【００２６】
本発明の携帯端末は、例えばクラムシェルタイプの携帯電話機であり、第１筐体と、第２筐体と、主表示部と、ヒンジ部と、無線通信手段と、表示制御手段と、状態検知手段と、音声出力手段と、第１音声入力手段と、第２音声入力手段と、音声入力制御手段とから構成され、備える一方の筐体を表裏反転させることができる。
【００２７】
まず図１から図６を参照して本携帯電話機の、回転および折畳み機構について説明する。
【００２８】
図１は、この発明の第１の実施の形態における携帯電話機の開いた状態を示す斜視図である。図２は、図１中の携帯電話機の閉じた状態を示す斜視図である。図３は、図２中の矢印ＩＩＩから見た携帯電話機を示す斜視図である。
【００２９】
携帯電話機１は、第１筐体２と、第１筐体２に対して回動軸５を中心に回動自在に連結された第２筐体６と備える。第２筐体６を第１筐体２に対して角変位自在に動かすことによって、携帯電話機１の形状は、図１に示す開いた状態と図２および図３に示す閉じた状態との間で変化する。第１筐体２には、キー操作部１８が設けられ、第２筐体６には主表示部１３が設けられる。
【００３０】
なお、本明細書では説明の便宜上、図１の如く主表示部１３とキー操作部１８とが同一面側で正常視認可能なように開いた状態を基準とし、Ｗを第２筐体６（主表示部１３）上方、Ｘを第２筐体６（主表示部１３下方）、Ｙを第１筐体２（キー操作部１８）上方、Ｚを第１筐体２（キー操作部１８）下方として説明する。
【００３１】
図１および図２を参照して、第１筐体２は、略矩形形状の表面３ａを有するベース部３と、表面３ａの所定位置から突出して形成された突出部４とからなる形状を有する。表面３ａは、携帯電話機１を開いた状態で外側に面し、閉じた状態で内側に面する表面である。
【００３２】
表面３ａには、キー操作部１８が設けられる。キー操作部１８は、数字および文字を入力するためのキーなどから構成される入力キー群１８ａと、携帯電話機１における各種設定／機能切換を行うための機能キー群１８ｂとからなる。機能キー群１８ｂには、押下することにより通話可能となるオフフックキーおよび押下することにより通話終了となるオンフックキーなどが割り当てられる。
【００３３】
また表面３ａには、キー操作部１８下方（Ｚ）に第１音声入力手段である第１マイク４１が設けられている。
【００３４】
第２筐体６は、突出部４に隣合って位置する。また第２筐体６は、突出部４に回動自在に設けられたヒンジ部７と、ヒンジ部７に対して回転軸９を中心に回転自在に設けられた筐体８とから構成されている。回転軸９は、突出部４の中心で回動軸５に直交している。
【００３５】
筐体８は、図１の状態ではヒンジ部７の表面７ａと隣接する略矩形形状の表面８ａを有する。表面８ａには主表示部１３が設けられている。主表示部１３は、液晶ディスプレイやＥＬ(ｅｌｅｃｔｒｏ  ｌｕｍｉｎｅｓｃｅｎｔ)ディスプレイなどによって構成されており、表示ドライバを介して与えられるデータに基づいて画像および／または文字を表示する。主表示部１３は、各種アプリケーションを実行する際の表示部となり、携帯電話機の多機能化に伴って表示領域の拡大が進んでいる。
【００３６】
また、主表示部１３は、液晶ディスプレイによって構成されている場合に、発光素子である発光ダイオードなどから構成されるバックライトにより背面から照明される。表面８ａには、主表示部１３の上方（Ｗ）に位置して、音声出力手段であるスピーカ１７が設けられている。
【００３７】
また、閉じた状態ではキー操作部１８が内側になることから、基本的な各種の操作を行うための簡易操作キー１１が、第１筐体２の側面に設けられている。簡易操作キー１１には、例えば、押下することにより通話可能となるオフフックキー、再度押下することにより通話終了となるオンフックキーなどが割り当てられる。図では１つの簡易操作キーを示すが、機能に応じて複数設けられても良い。簡易操作キー１１はこの位置に限らず、例えば第１筐体２または第２筐体６の他の側面や、主表示部１３周囲の第２筐体６表面等に設けられても良い。
【００３８】
図２のごとく、筐体８は表面８ａに対向する表面８ｂを有する。この状態ではヒンジ部７の表面７ａに対向する表面７ｂは表面８ｂと同一平面に並び、また後述するが、筐体８の回転により表面７ｂは表面８ａと同一平面に並ぶ。そして、ヒンジ部７の表面７ｂには、第２音声入力手段である第２マイク４２が設けられる。
【００３９】
図３を参照して、第１筐体２の内部には図示しないカメラ部が収納され、表面３ａの反対側に位置するベース部３の表面３ｂには、突出部４の裏側に位置して撮影レンズ１０およびフラッシュ１５が並んで設けられている。フラッシュ１５は、後に説明するカメラ部で撮影する際の補助光源として使われる。
【００４０】
表面３ｂには、撮影レンズ１０の近傍に位置して、副表示部１４が設けられている。副表示部１４も、液晶ディスプレイやＥＬ(ｅｌｅｃｔｒｏ  ｌｕｍｉｎｅｓｃｅｎｔ)ディスプレイなどによって構成されており、表示ドライバを介して与えられるデータに基づいて画像および／または文字を表示する。また、副表示部１４は、液晶ディスプレイによって構成されている場合に、発光素子である発光ダイオードなどから構成されるバックライトにより背面から照明される。尚、副表示部１４はこの位置に限らず、例えばヒンジ部７の表面７ａに対向する表面７ｂや、突出部４に設けてもよいし、副表示部１４を設けなくてもよい。
【００４１】
第１筐体２の内部には、アンテナ１２が昇降自在に設けられている。図中には、降りた状態のアンテナ１２が示されている。
【００４２】
図４から図６は、図１中の主表示部１３が設けられた筐体８を回転させた場合の携帯電話機を示す斜視図である。図４を参照して、携帯電話機１を開いた状態とし、筐体８を回転軸９を中心に図１に示す状態から９０度だけ回転させる。これにより、筐体８は、主表示部１３が設けられた表面８ａと、キー操作部１８が設けられた第１筐体２の表面３ａとが直交するように位置決めされる。
【００４３】
図５を参照して、筐体８を回転軸９を中心に図４に示す状態からさらに９０度だけ回転させる。これにより、筐体８は、表面８ａと第１筐体２の表面３ｂとが同一方向を向き、筐体８の表面８ｂと第１筐体２の表面３ａとが同一方向を向くように位置決めされる。なお、図１、図４および図５に示す状態のみならず、筐体８を回転軸９を中心に適当な角度だけ回転させることによって、表面８ａに設けられた主表示部１３を所望の方向に向けることができる。
【００４４】
この状態で、表面８ａの主表示部１３と、ヒンジ部７の表面７ｂが同一平面状に並列配置される。第２マイク４２は表面８ａ（主表示部１３）側に露出しており、すなわちスピーカ１７と同一平面上で主表示部１３を挟んで対向配置される。このように携帯電話機１では、筐体８が回転自在に設けられている。このため、カメラ部を用いて被写体を撮影する場合に、ユーザは、その撮影の条件にあわせて主表示部１３の向きを選択することができる。
【００４５】
図６を参照して、筐体８を図５に示す状態に回転させた後、筐体８を回動軸５を中心に回動させる。これにより、携帯電話機１は、表面８ａが外側を向いて主表示部１３が露出する。そして、主表示部１３とヒンジ部７の表面７ｂが同一平面上に並列配置され、表面８ｂが内側を向くように閉じられる。そしてこの場合も第２マイク４２は露出しており、すなわちスピーカ１７と同一平面上で主表示部１３を挟んで対向配置される。
【００４６】
再び図１を参照して、本発明の携帯電話機は、第１筐体２および第２筐体６に状態検知手段３０を有する。状態検知手段３０は、第１筐体２、６の開閉および回転状態の切換えを検知する。本実施形態の状態検知手段３０は、例えば第１ホール素子３０ａ、第２ホール素子３０ｂ、第３ホール素子３０ｃと、第１マグネット３０ｄ、第２マグネット３０ｅとからなる。
【００４７】
第１ホール素子３０ａ、第２ホール素子３０ｂは第１筐体２に設けられる。その位置は、例えば突出部４の逆側となるキー操作部１８の下方（Ｚ）である。また第３ホール素子３０ｃは筐体８と接するヒンジ部７の端部に設けられる。
【００４８】
第１マグネット３０ｄおよび第２マグネット３０ｅは筐体８に設けられ、例えば第１マグネット３０ｄはヒンジ部７の逆側となるスピーカ１７付近に、そして第２マグネット３０ｅは第３ホール素子３０ｃに近接する筐体８のヒンジ部７側端部に設けられる。第１マグネット３０ｄは、閉じた状態で第１ホール素子３０ａまたは第２ホール素子３０ｂと近接する位置に配置し、第２マグネット３０ｅは図１のごとく開いた状態で第３ホール素子３０ｃと近接する位置に配置する。
【００４９】
そして、第１および第２ホール素子３０ａ、３０ｂは第１マグネット３０ｄの磁力でオンオフが切り換り、第３ホール素子３０ｃは第２マグネット３０ｅの磁力によりオンオフが切り換わる。尚、各ホール素子はマグネットの磁力が感知できればよいので、状態検知手段３０は第１筐体２、第２筐体６表面に露出する必要はなく、第１筐体２、第２筐体６内に設けられてもよい。
【００５０】
尚、本実施形態では状態検出手段３０としてマグネットとホール素子を例に説明したがこれに限らず、磁界の強弱を電気抵抗の変化として取り出す他の磁電変換素子や、開閉時の応力を電気抵抗変化に変換する半導体素子からなる感圧素子または他のスイッチであってもよい。
【００５１】
ホール素子と開閉状態の関係の一例を説明すると、第１ホール素子３０ａは第１マグネット３０ｄの磁力を感知してオン状態となる。すなわち第１ホール素子３０ａがオンの場合は、主表示部１３が内側になるように閉じた状態であり、これを第１状態と称する（図２参照）。
【００５２】
第１ホール素子３０ａ、第２ホール素子３０ｂが第１マグネット３０ｄと近接せずにオフ状態であり、第３ホール素子３０ｃが第２マグネット３０ｅの磁力を感知してオン状態の場合、キー操作部１８と主表示部１３を同一面側から視認可能に開いた状態であり、これを第２状態と称する（図１参照）。
【００５３】
また、この状態の（すなわちキー操作部１８とともに正常視認が可能な状態の）、筐体８に対する主表示部１３の表示向きを正像と称する。つまり主表示部１３上方（Ｗ）が「天」、主表示部１３下方（Ｘ）が「地」となる表示向きを正像とする。
【００５４】
第１ホール素子３０ａ、第２ホール素子３０ｂ、第３ホール素子３０ｃがすべてオフの場合、第１筐体２および第２筐体６を開いて且つ筐体８を回転した状態であり、これを第３状態と称する。そしてこの場合、主表示部１３は図１に示す第２状態から１８０度回転し、左右が入れ替わっている（図５参照）。
【００５５】
そして、第２ホール素子３０ｂのみオンの場合は、筐体８を回転して第２筐体６を閉じた状態であり、これを第４状態という（図６参照）。尚、この状態では主表示部１３が外側に露出した状態で折畳まれ、閉じた状態であっても視認可能である。
【００５６】
そして通常第３状態から第４状態にした場合には、ヒンジ部７が上方、スピーカ１７が下方になるようにユーザに保持される。そこで第４状態では、例えば主表示部でメールの閲覧や画像の閲覧等を行う場合に、主表示部１３は表示部下方（Ｘ）が「天」で表示部上方（Ｗ）が「地」となる表示向きで表示する。
【００５７】
このようにヒンジ部７を中心として第２状態と上下が逆転している主表示部１３に対して、表示向きも逆転させることにより、第４状態でもユーザは携帯電話機を持ち換えることなく正常視認することができる。この表示向きを正像に対して逆像と称する。
【００５８】
さらに、本実施形態では、図の如く第４状態、すなわち主表示部１３が露出するように折畳んだ状態で、第２マイク４２およびスピーカ１７により通話が可能となる。この場合には、ユーザにはスピーカ１７が上方で、第２マイク４２が下方となるように携帯電話機１を保持させなければならない。そこで、後に詳述するが第４状態において通話着信を通知する場合、主表示部１３には着信通知を逆像ではなく正像で表示する。
【００５９】
このように本実施形態の携帯電話機１の機構によれば主表示部１３上方（Ｗ）にスピーカを、キー操作部１８下方（Ｚ）に第１マイク４１を、そしてヒンジ部７に第２マイク４２を設けることにより、第２状態および第４状態で通話が可能となる。
【００６０】
つまり、筐体を開いた状態または主表示部１３が露出するように折畳んだ状態のいずれでも通話を可能にし、また、持ち運び時（第１状態）では主表示部１３が内側になるように折り畳まれるので、主表示部１３を破損等するおそれが少なくなる。
【００６１】
図７は、携帯電話機１の構成の概略を示すブロック図である。本実施の形態の携帯電話機器１は、主に、制御部２１、メモリ２３、表示ドライバ２４、主表示部１３、副表示部１４、無線通信部２９、カメラ部２７、キー操作部１８、第１マイク４１、第２マイク４２、スピーカ１７、アンテナ１２、状態検知手段３０、表示制御手段３５、音声入力制御手段３６、音声入出力部３３を備えている。
【００６２】
制御部２１は、携帯電話機１を構成する各部位の動作を制御し、例えば、カメラ部２７、メモリ２３、表示ドライバ２４、主表示部１３及び副表示部１４、無線通信部２９、音声入出力部３３等を制御する。制御部２１は、例えばユーザから画像データ表示の指示があると、表示ドライバ２４に制御信号を送信するとともに、メモリ２３に記憶された所定の画像データを表示ドライバ２４に送る。また、第１マイク４１、第２マイク４２の切り換えの制御やスピーカ１７の制御等の信号を音声入出力部３３に送信する。
【００６３】
音声入出力部３３は、制御部２１からの信号に応じて第１マイク４１、第２マイク４２の切り換えや、第１マイク４１、第２マイク４２から入力された音声のモノラル信号またはステレオ信号への変換処理、スピーカ１７から出力する音声の処理等を行う。
【００６４】
表示ドライバ２４は、制御部２１からの信号を受信し、主表示部１３及び副表示部１４に表示しようとする例えば画像データに従って、主表示部１３及び副表示部１４の各画素電極に対して駆動電圧を印加する。
【００６５】
カメラ部２７は、撮像レンズ１０と、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。被写体で反射されて撮像レンズ１０に入射した光を、カラーフィルタを通してＲＧＢの３色光にし、ＲＧＢの３色光をそれぞれ撮像素子によって電気信号に変換する。
【００６６】
また、カメラ部２７では、ＲＧＢに対応した電気信号を増幅し、増幅されたＲＧＢに対応した電気信号（アナログ）をデジタル信号に変換して画像データを出力し、その画像データに対して、画素の補間処理などの信号処理を行う。そして、制御部２１から送られてくる制御信号に基づいて、信号処理を施した画像データをメモリ２３に送る。
【００６７】
キー操作部１８は、上述の如く、十字キー数字キー、また押下することにより通話を可能とするオフフックキー、押下することにより通話終了するオンフックキーなどから構成される。
【００６８】
アンテナ１２は、無線電波を介して基地局と無線通信を行うときに、音声データ、文字データおよび画像データなどを送受信する。無線通信部２９は、無線部と通信制御部からなり、無線部は、受信時は、基地局からアンテナ２２を介して受信したデータを復調し、送信時は、通信制御部２６から送られてくる文字データおよび画像データなどを変調して増幅し、アンテナ１２を介して基地局に送信する。通信制御部２６は、無線部が復調した文字データおよび画像データなどの受信データを所定の通信プロトコルに基づいて制御部２１に送る。無線部、通信制御部を介して受信した相手先からの受信データは、メモリ２３に記憶される。
【００６９】
状態検知手段３０は、上述の如く、ホール素子３０ａ〜３０ｃと、マグネット３０ｄ、３０ｅにより、第１状態から第４状態を検知する。
【００７０】
また、本実施形態の制御部２１は、音声入力制御手段３６を有する。音声入力制御手段３６は、状態検知手段３０で検知された第１筐体２、第２筐体６の状態に応じて、第１マイク４１のオンオフ、および第２マイク４２のオンオフの切り換えを制御し、音声入出力部３３に制御信号を送信する。
【００７１】
例えば、第２状態で通話する場合、スピーカ１７と第１マイク４１を使用するので、第１マイク４１をオンし、第２マイク４２をオフする。第４状態では、第２マイク４２とスピーカ４１を使用するので、第１マイク４１をオフして第２マイク４２をオンする。ユーザは、第２状態であればキー操作部１８の、また第４状態であれば簡易操作キー１１の、オフフックキーを押下することで、通話が可能となる。以下、ユーザによるオフフックキーの押下をオフフック操作、オンフックキーの押下をオンフック操作と称する。
【００７２】
尚、第１状態では第１マイク４１よび第２マイク４２ともオフとする。第１状態では携帯電話機１を使用していない状態と考えられるので、着信音等により通話着信が通知された場合第１筐体２および第２筐体６を開いてオフフック操作および通話を行えばよい。
【００７３】
また第３状態においても通話はしないこととする。第３状態では着信通知により、第２筐体６を折畳んで第４状態にするか、第２筐体６を回転させて第２状態として通話すればよいからである。
【００７４】
また、音声入力制御手段３６は、携帯電話機１の機能によっても、第１マイク４１および第２マイク４２のオンオフの切り換えを制御する。
【００７５】
例えば上記のごとく通話の場合は第１または第２のいずれか一方のマイクをオンすればよいが、動画撮影等で音声も記録する場合には、第１および第２マイク共にオンすることができる。第４状態で動画撮影をする場合、一般には携帯電話機１の主表示部１３の上下（Ｗ、Ｘ）方向が左右になるように保持して撮影する。このとき本実施形態では第１マイク４１と第２マイク４２が携帯電話機１の左右に位置することになるので、共にオン状態にすることでステレオモードで音声を録音できる。更にこの場合ユーザ操作により、ステレオ録音とモノラル録音の切り換えができることとする。
【００７６】
一方第３または第２状態で動画を撮影する場合には、シングルモードの切り換えを可能とする。シングルモードとは第２または第３状態においてオンするマイクを選択するモードであり、ユーザが所定のキーを押下することにより設定できる。シングルモードがオンとは第２マイク４２のみオン状態とすることをいい、第３状態であれば撮影者側、第２状態であれば被写体側に向いている第２マイク４２で録音することができる。
【００７７】
一方、シングルモードオフとは、第１マイク４１および第２マイク４２共にオンすることをいう。これにより特に第２状態では、被写体側に第２マイク４２、撮影者側に第１マイク４１が位置するので両者の音声を録音できる。
【００７８】
このように、音声入力制御手段３６は、第１筐体２および第２筐体６の状態と、携帯電話機１の機能に応じて、第１マイク４１及び／または第２マイク４２のオンオフを切り替えるものである。
【００７９】
更に、本実施形態の制御部２１は、表示制御手段３５を有する。表示制御手段３５は、状態検知手段３０により検知された第１筐体２、第２筐体６の開閉および回転状態を取得し、その状態に応じて、主表示部１３に表示する画像および／または文字の正像と逆像の切換等の処理を行い、表示ドライバ２４に制御信号を送信する。
【００８０】
また、筐体が同じ状態であってもその機能により正像と逆像の切り換えを行う。例えば、ユーザが携帯電話機１を第３状態から第４状態にした場合には、主表示部１３の下方（Ｘ）が「天」、上方（Ｗ）が「地」となる向きで携帯電話機１が保持される場合が多いため、表示制御手段３５は第４状態でメール閲覧または画像閲覧等を行う場合は、表示データに基づく文字および／または画像を逆像で表示する。
【００８１】
しかし、この状態ではスピーカ１７が主表示部１３上方（Ｗ）に、第２マイク４２が主表示部１３下方（Ｘ）に位置するため、通話時には携帯電話機１を持ち換える必要がある。
【００８２】
第２マイク４２とスピーカ１７の上下を逆に保持しても通話自体は可能であるが、当然ながらスピーカ１７からの音声が遠くなる。つまりユーザは、携帯電話機１の保持を誤っているのか、受信した通話音量が小さいのかの判断が付きにくい。したがって、本実施形態では主表示部１３への通話着信通知を、第２マイク４２およびスピーカ１７が正常に使用できる状態すなわち正像表示することでユーザに携帯電話機１の持ち替えを促し、通話前に正常な状態で携帯電話機１を保持させることができる。
【００８３】
また、この場合着信通知は逆像表示とし、オフフック操作を行うことで正像表示に切り換えるようにしても良い。例えばメール閲覧中に着信通知があった場合、そのままの状態（逆像）で相手先を確認し、通話する場合、すなわちオフフック操作をした場合に天地を逆転させて正像表示する。オフフック操作後に表示が切り換われば、通話する場合にのみ携帯電話機１を正常に持ち換えることができる。
【００８４】
このように、表示制御手段３５は、第１筐体２、第２筐体６の状態と携帯電話機１の機能に応じて表示データの正像と逆像を切り替えるものである。
【００８５】
図８および図９を参照して、まず本実施形態の通話着信時およびメール着信時に着信通知を行う場合の表示制御フローの一例を説明する。
【００８６】
図８はフロー図であり、図９は各状態における主表示部１３および携帯電話機１の外観図の一例である。尚、副表示部１４は主表示部１３の補助的な役割を果たし、筐体の開閉の状態に応じて表示内容が変化する。また、副表示部１４の配置によってもそれらは異なるため、本フローにおいては説明を省略する。
【００８７】
まず、制御部２１は、通話着信を判断し（ステップＳ１）、通話着信があった場合、着信メロディを再生（あるいはバイブレータＯＮ、以下同様）する（ステップＳ２）。その後制御部２１は、第１ホール素子の状態を判断する（ステップＳ３）。第１ホール素子がオンの場合は第１状態なので、表示制御手段３５は、主表示部１３をオフするよう表示ドライバ２４に制御信号を送信する（ステップＳ１４）（図９（Ａ））。
【００８８】
第１ホール素子がオフの場合（ステップＳ３）は第２〜第４状態のいずれかであるので、制御部２１はメモリ内に格納されている着信表示を再生する（ステップＳ４）。そして表示制御手段３５は主表示部１３をオンし着信表示を正像で表示する（ステップＳ５）。ここで、通話の場合には、第２状態ではスピーカ１７と第１マイク４１の上下と主表示部１３の上（Ｗ）方向および下（Ｘ）方向が一致する。また第４状態でもスピーカ１７と第２マイク４２の上下と主表示部１３の上（Ｗ）方向および下（Ｘ）方向が一致する。したがって、表示制御手段３５は、着信表示を主表示部１３に正像で表示させる。これにより特に第４状態では、ユーザは通話に正常な向きで携帯電話機１を保持することができる（図９（Ｂ）（Ｃ））。
【００８９】
なお第３状態では第２または第４状態にすることで通話が可能となるので主表示部１３への表示は正像でよい。また、第４状態では、通話指示（オフフック操作）があってから、主表示部１３の表示を正像に切り換えるようにしてもよく、この正像に切り換える前の逆像では、着信表示と筐体を持ち替える必要がある旨のメッセージの表示とを行うとよい。
【００９０】
通話着信がない場合、制御部２１はメール着信の有無を判断し（ステップＳ６）、メール着信があった場合、着信メロディを再生する（ステップＳ７）。その後制御部２１は、第１ホール素子の状態を判断する（ステップＳ８）。第１ホール素子がオンの場合は第１状態なので、表示制御手段３５は、主表示部１３をオフするよう表示ドライバ２４に制御信号を送信する（ステップＳ１４）（図９（Ａ））。
【００９１】
第１ホール素子がオフの場合（ステップＳ８）は、第２〜第４状態のいずれかであるので、制御部２１はメモリ内に格納されているメール着信表示を再生する（ステップＳ９）。そしてメール着信の場合は第２ホール素子の状態を判断する（ステップＳ１０）。第２ホール素子がオンの場合、第４状態であるので表示制御手段３５は主表示部１３をオンし着信表示を逆像で表示する（ステップＳ１１）。ここで、メール着信の場合には、第１または第２マイク及びスピーカ１７の上下方向はいずれでもよい。そして、通常第３状態を経て第４状態となっているので、ユーザは主表示部１３下方（Ｘ）が「天」、上方（Ｗ）が「地」となる向きで携帯電話機１を保持していると考えられる。そこで着信表示を逆像表示することにより、ユーザは携帯電話機を持ち替えずにメール着信を確認することができる（図９（Ｄ））。
【００９２】
通話着信もなく、メール着信もない場合、制御部２１はホール素子の変化を判断し（ステップＳ１２）、変化がない場合は、着信待機となる。ここでホール素子の変化を判断する理由は、例えばメール閲覧後メール送信者に返信する場合には、筐体を開き第２状態にするため、この状態の検知が必要となるからである。その場合表示データは正像とすべきなので、ここでホール素子の変化を判断し、以下のステップとなる。
【００９３】
すなわち、ホール素子に変化がある場合、第１ホール素子の状態を判断し（ステップＳ１３）、第１ホール素子がオフの場合、第２ホール素子の状態を判断する（ステップＳ１０）。第２ホール素子もオフの場合には第２または第３状態、すなわち第１筐体２と第２筐体６を開いた状態であるので、表示制御手段３５は主表示部１３をオンして正像で表示する（ステップＳ５）（図９（Ｂ））。
【００９４】
第２ホール素子がオンの場合（ステップＳ１０）は第４状態であり、かつ通話着信ではないので表示制御手段３５は主表示部１３をオンして逆像表示する（ステップＳ１１）（図９（Ｄ））。
【００９５】
第１ホール素子がオンの場合（ステップＳ１３）は第１状態であるので、表示制御手段３５は主表示部１３をオフし、待機状態となる（図９（Ａ）。
【００９６】
次に、図１０を参照して通話着信時に第1マイク４１および第２マイクの切り換えを行う音声入力制御フローを説明する。
制御部２１は、オフフック操作の有無を判断し（ステップ２１）、オフフック操作がある場合は、第２ホール素子の状態を判断する（ステップＳ２２）。第２ホール素子がオンの場合第４状態であるので、音声入力制御手段３６は、第１マイク４１をオフし（ステップＳ２３）、第２マイク４２をオンする（ステップＳ２４）（図６参照）。これにより、主表示部１３が露出するように折り畳んだ状態で、第２マイク４２とスピーカ１７により通話が可能となる。
【００９７】
オフフック操作があり（ステップＳ２１）、第２ホール素子がオフの場合（ステップＳ２２）、第２状態または第３状態であるので、第２状態での通話を可能にするために音声入力制御手段３６は第１マイク４１をオンし（ステップＳ２６）、第２マイク４２をオフする（ステップＳ２７）。第３状態は、第２または第４状態にすることで通話できればよく、第３状態での通話はないためである。
【００９８】
第１または第２マイクをオンした後は、制御部２１はオンフック操作の有無を判断し（ステップＳ２５）、オンフック操作がある場合には音声入力制御手段３６は第１マイク４１をオフし（ステップＳ２８）、第２マイク４２もオフする（ステップＳ２９）。オンフック操作がない場合には（ステップＳ２５）、引き続きホール素子の変化を判断する（ステップＳ２２）。
【００９９】
次に、図１１および図１２を参照して動画撮影機能の場合に第１マイク４１、第２マイク４２のオンオフを切り換える音声入力制御フローの一例を示す。なお図１１は制御フロー図であり、図１２は各状態における携帯電話機１の外観図である。
【０１００】
制御部２１は、動画撮影開始操作の有無を判断し（ステップＳ３１）、なければ待機状態となる。動画撮影操作がある場合は、第２ホール素子の状態を判断する（ステップＳ３２）。第２ホール素子がオンの場合は第４状態であり、第２マイク４２はヒンジ部７にあり、第１マイク４１はキー操作部１８下方（Ｚ）に位置する。すなわち主表示部１３の両端となる位置に２つのマイクが配置される。そして、第４状態で動画撮影を行う場合は、第１マイク４１および第２マイク４２が左右となるように携帯電話機１を保持すると考えられ、本実施形態では２つのマイクによるステレオ録音が可能となっている。
【０１０１】
そこで、第１および第２マイクを使用するステレオモードであるか否かを判断する（ステップＳ３３）。ステレオモードは、ユーザのキー操作により設定され、ステレオモードである場合は音声入力制御手段３６は第１マイク４１をオンし（ステップＳ３４）、第２マイク４２をオンする（ステップＳ３５）。そして第１マイク４１および第２マイク４２をそれぞれ左用または右用マイクに割り当てて、音声入出力部３３を介してステレオ録音する（ステップＳ３６）（図１２（Ａ））。
【０１０２】
次に制御部２１は動画撮影終了操作の有無を判断し（ステップＳ３７）、操作がない場合は、再び第２ホール素子の状態を判断する（ステップＳ３２）。操作があった場合は、音声入力制御手段３６は第１マイク４１をオフして（ステップＳ３８）、第２マイク４２もオフする（ステップＳ３９）。
【０１０３】
第４状態で（ステップＳ３２）ステレオモードでない場合（ステップＳ３３）は、モノラル録音となる。すなわち音声入力制御手段３６は、第１マイク４１をオンし（ステップＳ４０）、第２マイク４２をオンする（ステップＳ４１）。そして音声入出力部３３は第１および第２マイク４２から録音した音声をモノラル信号に補正して録音する（ステップＳ４２）。その後、制御部２１は、動画撮影終了操作の有無を判断する（ステップＳ３７）。
【０１０４】
携帯電話機１が第４状態でない場合、すなわち第２ホール素子がオフの場合（ステップＳ３２）、第２または第３状態であるので、制御部２１は、シングルモードであるか否かを判断する（ステップＳ４３）。
【０１０５】
シングルモードはユーザのキー操作により設定されており、シングルモードがオンの場合は音声入力制御手段３６は、第１マイク４１をオフし（ステップＳ４４）、第２マイク４２をオンする（ステップＳ４５）。したがって、携帯電話機１が第２状態であれば、被写体側に向けられた第２マイク４２がオンして録音される（図１２（Ｂ））。また携帯電話機１が第３状態であれば、撮影者が被写体となるような場合であり、撮影者側に向いている第２マイク４２がオンして録音される（図１２（Ｃ））。
【０１０６】
第２マイク４２で集音された音声は音声入出力部３３を介してモノラル録音される（ステップＳ４６）。そして、制御部２１は、動画撮影終了操作の有無の判断を行う（ステップＳ３７）。
【０１０７】
一方シングルモードがオフの場合（ステップＳ４３）は、音声入力制御手段３６は第１マイク４１をオンし（ステップＳ４７）、第２マイク４２もオンする（ステップＳ４８）。これにより、第２状態であれば撮影者側に向いた第１マイク４１および被写体側に向いた第２マイク４２が共にオンし、両者の音声が録音できる（図１２（Ｂ））。また第３状態では撮影者側が被写体側となるが、撮影者側に向いた第１マイク４１だけでなく第２マイク４２もオンするので周囲の音声も同時に録音できる。２つのマイクで録音された音声は、音声入出力部３３でモノラル信号に補正され、録音される（ステップＳ４９）。そして、動画撮影終了操作の有無の判断を行う（ステップＳ３７）。
【０１０８】
以上、本実施の形態では、クラムシェルタイプの携帯電話機について説明を行なったが、本発明による携帯端末はこれに限定されない。たとえば、表示部が露出するように折り畳み可能で動画撮影機能を有する携帯情報端末（ＰＤＡ：ｐｅｒｓｏｎａｌ  ｄｉｇｉｔａｌ  ａｓｓｉｓｔａｎｔｓ）等であってもよい。
【図面の簡単な説明】
【０１０９】
【図１】この発明の実施の形態における携帯電話機の開いた状態を示す斜視図である。
【図２】図１中の携帯電話機の閉じた状態を示す斜視図である。
【図３】図２中の矢印ＩＩＩから見た携帯電話機を示す斜視図である。
【図４】図１中の主表示部が設けられた筐体を回転させた場合の携帯電話機を示す斜視図である。
【図５】図１中の主表示部が設けられた筐体を回転させた場合の携帯電話機を示す別の斜視図である。
【図６】図１中の主表示部が設けられた筐体を回転・折畳んだ場合の携帯電話機を示すさらに別の斜視図である。
【図７】本発明の実施の形態における携帯電話機の構成を示すブロック図である。
【図８】本発明の実施の形態における携帯電話機の表示制御フロー図である。
【図９】図８の各状態における携帯電話機の外観図である。
【図１０】本発明の実施の形態における携帯電話機の音声入力制御フロー図である。
【図１１】本発明の実施の形態における携帯電話機の音声入力制御フロー図である。
【図１２】図１１の各状態における携帯電話機の外観図である。
【図１３】従来技術を示す外観図である。
【符号の説明】
【０１１０】
１、２００  携帯電話機
２、６、８、２０１、２０５  筐体
３  筐体
３ａ、３ｂ、７ａ、７ｂ、８ａ、８ｂ  表面
４  突出部
５  回動軸
７、２０７  ヒンジ部
９  回転軸
１０  レンズ
１１  簡易操作キー
１２  アンテナ  
１３、２０６  主表示部
１４  副表示部
１５  フラッシュ
１７、１０４、２０８  スピーカ  
１８、１１８、２０２  キー操作部
１８ａ  機能ボタン群
１８ｂ  入力ボタン群
４１    第１マイク
４２    第２マイク
２１  制御部
２４  表示ドライバ
２７  カメラ部
３０  状態検知手段
３０ａ  第１ホール素子
３０ｂ  第２ホール素子
３０ｃ  第３ホール素子
３０ｄ  第１マグネット
３０ｅ  第２マグネット
３３    音声入出力部
３５    表示制御手段
３６    音声入力制御手段
２０９  マイク
【図１】
2005244752.tif 000003
【図２】
2005244752.tif 000004
【図３】
2005244752.tif 000005
【図４】
2005244752.tif 000006
【図５】
2005244752.tif 000007
【図６】
2005244752.tif 000008
【図７】
2005244752.tif 000009
【図８】
2005244752.tif 000010
【図９】
2005244752.tif 000011
【図１０】
2005244752.tif 000012
【図１１】
2005244752.tif 000013
【図１２】
2005244752.tif 000014
【図１３】
2005244752.tif 000015